(57)【要約】【課題】本発明は、物品の水平回転を抑制できる支持体用シートを提供することを課題とする。【解決手段】本発明の一態様に係る支持体は、１枚のシート材から形成され、箱体の中に配置されて物品を保持するための支持体に組み立てられる支持体用シートであって、物品が挿入される平面視円形状の保持穴を形成する保持穴形成部を有する上面パネルを備え、上記上保持穴形成部が、上記保持穴の内縁の少なくとも一部を形成する直線状の複数の折曲容易線と、上記折曲容易線からそれぞれ延出し、上記保持穴に物品を挿入するときに下方に折り曲げられる複数の舌片とを有し、上記複数の折曲容易線が、その法線がその中心点と上記保持穴の重心とを結ぶ直線に対して傾斜し、且つその傾斜方向が互いに異なる２つの折曲容易線を含むことを特徴とする。【選択図】図３
2019104506.tif 000002
【特許請求の範囲】
【請求項１】
１枚のシート材から形成され、箱体の中に配置されて物品を保持するための支持体に組み立てられる支持体用シートであって、
物品が挿入される平面視円形状の保持穴を形成する保持穴形成部を有する上面パネルを備え、
上記上保持穴形成部が、
上記保持穴の内縁の少なくとも一部を形成する直線状の複数の折曲容易線と、
上記折曲容易線からそれぞれ延出し、上記保持穴に物品を挿入するときに下方に折り曲げられる複数の舌片と
を有し、
上記複数の折曲容易線が、その法線がその中心点と上記保持穴の重心とを結ぶ直線に対して傾斜し、且つその傾斜方向が互いに異なる２つの折曲容易線を含むことを特徴とする支持体用シート。
【請求項２】
上記折曲容易線の法線の傾斜角度が０．５°以上５．０°以下である請求項１に記載の支持体用シート。
【請求項３】
隣接する複数の上記折曲容易線の法線の傾斜方向が等しい請求項１又は請求項２に記載の支持体用シート。
【請求項４】
上記舌片が上記保持穴の全周に亘って連続して配置される請求項１、請求項２又は請求項３に記載の支持体用シート。
【請求項５】
請求項１から請求項４のいずれか１項に記載の支持体用シートと、
上記支持体用シートを組み立ててなる支持体を収容する箱体に組み立てられる箱用シートとを備える包装資材セット。
【発明の詳細な説明】
【技術分野】
【０００１】
本発明は、支持体用シート及び包装資材セットに関する。
【背景技術】
【０００２】
物品を箱体に収容する際、１枚のシート材から形成される支持体を箱体の中に配置することがある。このような支持体としては、箱体の底面と間隔を空けて保持される上面パネルに物品の下部を挿入する保持穴を設けたものが広く使用されている。このような支持体の中には、物品を保持する機能を向上するために、保持穴の内側に突出する舌片が設けられ、この舌片が保持穴への物品の挿入時に下方に折り曲げられて物品の側面に密着するよう構成されるものも少なくない。
【０００３】
上記のような支持体を用いても、物品の保持が十分とは言えない場合がある。例えば、物品の支持体に挿入する部分の平面形状が円形である場合、支持体の中で水平回転する可能性がある。このような水平回転による不都合としては、箱体の前部を開放して物品を展示する場合に見栄えが悪くなることや、物品の上部が部分的に側方に突出していつ場合にその突出部が箱体の内壁に接触して損傷する可能性があることが挙げられる。具体例としては、箱体に収容する物品が鉢植えである場合、その花や葉が保持穴に挿入される鉢から水平方向に非対称に突出し、特定の方向から観賞するようデザインされている可能性がある。
【０００４】
例えば特開２０００−５３１８１号公報には、鉢植えを箱体に収容するパッケージにおいて、鉢を挿入する保持穴を有する支持体（横ずれ規制部材）を使用すると共に、下端が鉢の中に突き刺され、上端が箱体の天井面に当接する上下動規制部材を使用することによって、鉢の上下動及び傾斜を防止することが提案されている。
【０００５】
上記公報には、鉢の水平回転についての言及はないが、その図に記載されている鉢植えが水平回転すると花が損傷し得ることは明らかである。なお、上記公報の上下動規制部材においても、例えば上端が天井面の対角線に沿って延びるようにすることで、鉢植えの水平回転を防止することは可能と思われる。しかしながら、このような上下動規制部材を差し込む作業は煩雑であり、上下動規制部材によって花の根を傷つけるおそれや展示する際の見栄えを損なうおそれがある。
【先行技術文献】
【特許文献】
【０００６】
【特許文献１】特開２０００−５３１８１号公報
【発明の概要】
【発明が解決しようとする課題】
【０００７】
上記不都合に鑑みて、本発明は、物品の水平回転を抑制できる支持体用シート及び包装資材セットを提供することを課題とする。
【課題を解決するための手段】
【０００８】
上記課題を解決するためになされた本発明の一態様に係る支持体は、１枚のシート材から形成され、箱体の中に配置されて物品を保持するための支持体に組み立てられる支持体用シートであって、物品が挿入される平面視円形状の保持穴を形成する保持穴形成部を有する上面パネルを備え、上記上保持穴形成部が、上記保持穴の内縁の少なくとも一部を形成する直線状の複数の折曲容易線と、上記折曲容易線からそれぞれ延出し、上記保持穴に物品を挿入するときに下方に折り曲げられる複数の舌片とを有し、上記複数の折曲容易線が、その法線がその中心点と上記保持穴の重心とを結ぶ直線に対して傾斜し、且つその傾斜方向が互いに異なる２つの折曲容易線を含むことを特徴とする。
【０００９】
当該支持体用シートは、上記舌片の基端縁となる上記複数の折曲容易線が、その法線がその中心点と上記保持穴の重心とを結ぶ直線に対して傾斜していることによって、保持穴に物品を挿入したとき、舌片が傾斜して一方側の側縁を物品の側面に押し当てる。このように傾斜した舌片は、摩擦力が非対称となり、物品が側縁が接触しない側から接触する側に向かって回転することは許容するが、その反対側に回転することを抑制する。当該支持体用シートは、傾斜方向が互いに異なる２つの折曲容易線を有するので、物品の両方向の回転をいずれかの舌片によって防止することができる。
【００１０】
当該支持体用シートにおいて、上記折曲容易線の法線の傾斜角度が０．５°以上５．０°以下であることが好ましい。このように、上記折曲容易線の法線の傾斜角度を上記範囲内とすることによって、舌片による物品の回転抑制効果を向上しつつ、物品をしっかりと保持することができる。
【００１１】
当該支持体用シートにおいて、隣接する複数の上記折曲容易線の法線の傾斜方向が等しくてもよい。このように、隣接する複数の上記折曲容易線の法線の傾斜方向が等しいことにより、上記舌片による物品の回転抑制効果を隣接する舌片が阻害しないようすることができるので、物品の水平回転をより効果的に抑制することができる。
【００１２】
当該支持体用シートにおいて、上記舌片が上記保持穴の全周に亘って連続して配置されてもよい。このように、上記舌片が上記保持穴の全周に亘って連続して配置されることによって、より多くの舌片が物品の回転を抑制するので、物品の水平回転をさらに確実に抑制することができる。
【００１３】
本発明の別の態様に係る包装資材セットは、上記支持体用シートと、上記支持体用シートを組み立ててなる支持体を収容する箱体に組み立てられる箱用シートとを備える。当該包装資材セットを組み立ててなる包装体は、上記支持体用シートを組み立ててなる支持体が物品の水平回転を抑制するので、物品が水平回転して損傷することを防止することができると共に、物品が正面を向いた状態を保持することができるので、物品を展示する際の見栄えがよい。
【００１４】
ここで、「円形状」とは、外接円の半径と内接円の半径との差が外接円の半径の１０％以下である形状を意味するものとする。
【発明の効果】
【００１５】
本発明の支持体用シート及び包装資材セットは、物品の水平回転を抑制できる支持体及び包装体を形成することができる。
【図面の簡単な説明】
【００１６】
【図１】本発明の一実施形態の包装資材セットを示す平面図（展開図）である。
【図２】図１の包装資材セットを組み立ててなる包装体の分解斜視図である。
【図３】図１の包装資材セットの支持体用シートの拡大平面図である。
【図４】図３とは異なる実施形態の支持体用シートの平面図である。
【発明を実施するための形態】
【００１７】
以下、適宜図面を参照しつつ、本発明の実施の形態を詳説する。
【００１８】
［第一実施形態］
図１に、本発明の一実施形態に係る包装資材セットを示す。当該包装資材セットは、それ自体が本発明の別の実施形態である支持体用シート１と、箱用シート２とを備える。当該包装資材セットの支持体用シート１及び箱用シート２は、それぞれ１枚のシート材から形成される。
【００１９】
図２に示すように、支持体用シート１は、包装対象である物品Ｐを支持する支持体Ｓに組み立てられ、箱用シート２は、支持体Ｓを収容する箱体Ｂに組み立てられる。つまり、支持体用シート１を組み立ててなる支持体Ｓは、箱用シート２を組み立ててなる箱体Ｂの中に配置されて物品Ｐを保持するために使用される。
【００２０】
当該包装資材セットを用いて包装される物品Ｐとしては、例えば鉢植え等を想定することができる。
【００２１】
支持体用シート１及び箱用シート２を形成するシート材としては、例えば段ボールシート、プラスチックボード、ボール紙等を用いることができ、中でも段ボールシートが特に好適に用いられる。支持体用シート１を形成するシート材と箱用シート２を形成するシート材とは異なるものであってもよい。
【００２２】
上記段ボールシートとしては、１枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００２３】
なお、図１において、太い実線はシート材を切断して形成されるエッジを示し、細い実線はシート材の裏面（組み立て状態で支持体Ｓの内側に配置される側の面及び箱体Ｂの内側に配置される側の面）に筋押しして形成される罫線を示す。
【００２４】
〔支持体用シート〕
支持体用シート１は、図３に詳しく示すように、方形状の上面パネル１１と、上面パネル１１の各側縁から等しい長さに延出する方形状の４つの側面パネル（一対の長辺側面パネル１２及び一対の短辺側面パネル１３）とを備える。
【００２５】
＜上面パネル＞
上面パネル１１は、物品Ｐが挿入される平面視円形状の保持穴Ｈを形成する保持穴形成部１４を有する。
【００２６】
保持穴形成部１４は、上面パネル１１の中心からオフセットして形成されてもよい。本実施形態では、保持穴形成部１４は、長方形状の上面パネル１１の一対の長辺及び一方の短辺から略等しい距離に配設され、他方の短辺までの距離が大きくなっている。これにより、保持穴Ｈに挿入される物品Ｐの下部（例えば植木鉢）から物品Ｐの上部（例えば植木鉢に植えられている植物の花や葉）が平面視で非対称に突出している場合にも、物品Ｐの上部が箱体Ｂの側壁に当接しないように位置決めして保持することができる。
【００２７】
（保持穴形成部）
保持穴形成部１４は、保持穴Ｈの外縁の少なくとも一部を形成する直線状の複数の折曲容易線１５と、この折曲容易線１５からそれぞれ延出し、保持穴Ｈに物品Ｐを挿入するときに下方に折り曲げられる複数の舌片１６とを有する。
【００２８】
本実施形態における保持穴Ｈの外縁は、複数（１６本）の折曲容易線１５とこの折曲容易線１５の端部間を接続すると共に、舌片１６の側縁を画定する切断線１７の一部から形成されている。つまり、本実施形態において、舌片１６は、保持穴Ｈの全周に亘って連続して配置されている。このように、複数の舌片１６を保持穴Ｈの全周に亘って連続して配置することで、物品Ｐを水平方向に移動しないようしっかりと保持すると共に、物品Ｐの水平方向の回転をより確実に抑制することができる。
【００２９】
より詳しくは、本実施形態の支持体用シート１において、各折曲容易線１５は、その法線Ｌｎがその中心点Ｃと保持穴Ｈの重心Ｇとを結ぶ直線Ｌｒに対して傾斜している。これにより、舌片１６が直線Ｌｒに対して傾斜し、一方側の側縁を物品Ｐに相対的に強く押し当てることで、舌片１６と物品Ｐとの摩擦力が水平方向に非対称となる。これにより、舌片１６は、折曲容易線１５に傾斜方向に対応する一方向の物品Ｐの水平回転を抑制する。
【００３０】
また、各折曲容易線１５の法線Ｌｎの傾斜方向は、図３における左右で互いに異なっている。つまり、支持体用シート１において、複数の折曲容易線１５は、保持穴Ｈの形状が左右対称となるよう、右側の８本の折曲容易線１５が時計回りに傾斜し、左側の８本の折曲容易線１５が反時計回りに傾斜している。
【００３１】
本実施形態のように、隣接する複数の折曲容易線１５の法線Ｌｎの傾斜方向が等しいことによって、隣接する舌片１６が同じ側の側縁（隣り合わない側縁）を物品Ｐに強く圧接するので、圧接力が分散し難く、物品Ｐの回転を抑制する効果が大きくなる。
【００３２】
折曲容易線１５の法線Ｌｎの直線Ｌｒに対する傾斜角度の下限としては、０．５°が好ましく、１．０°がより好ましい。一方、折曲容易線１５の法線Ｌｎの傾斜角度の上限としては、５．０°が好ましく、４．０°がより好ましい。上記折曲容易線１５の法線Ｌｎの傾斜角度が上記下限に満たない場合、寸法誤差や遊びによって舌片１６の側縁を物品Ｐの側面に押し当てることができないことで物品Ｐの回転を十分に抑制できないおそれがある。逆に、上記折曲容易線１５の法線Ｌｎの傾斜角度が上記上限を超える場合、折曲容易線１５の端部に圧力が集中してシート材が座屈することで物品を安定して保持できなくなるおそれがある。
【００３３】
本実施径形態において、各舌片１６は、折曲容易線１５と、保持穴Ｈの重心Ｇを通る直線上に形成される一対の切断線１７と、保持穴Ｈの重心Ｇを中心とする円弧状に形成される先端縁１８とによって画定される。
【００３４】
舌片１６は、物品Ｐを保持穴Ｈに挿入する際に折曲容易線１５において下方に折り曲げられ、物品Ｐの側面に当接する。この舌片１６は、シート材の復元力（弾性力）により上方に跳ね上がろうとすることで、物品Ｐを保持穴Ｈの中心に向かって押圧する。これにより、支持体用シート１を組み立ててなる支持体Ｓは、物品Ｐを保持穴Ｈの中でガタつきなく保持する。
【００３５】
隣接する舌片１６は、切断線１７によって分離されている。この切断線１７により画定される舌片１６の直線状の側縁は、物品Ｐの円筒状又は円錐状の側面に連続して当接することができるので、舌片１６と物品Ｐとの間の摩擦を増大して、物品Ｐの回転防止効果を向上し得る。
【００３６】
本実施形態では、複数の舌片１６の先端縁１８が連続して単一の円を描くよう形成されている。これにより、先端縁１８を形成するためにシート材を切断する抜き型の製作が容易となる。
【００３７】
舌片１６の数の下限としては、４が好ましく、６がより好ましい。一方、舌片１６の数の上限としては、３２が好ましく、２４がより好ましい。舌片１６の数が上記下限に満たない場合、物品Ｐの保持が不十分となるおそれがある。逆に、舌片１６の数が上記上限を超える場合、個々の舌片１６の物品に対する圧接力が小さくなることで、物品Ｐの回転を抑制する効果が不十分となるおそれがある。
【００３８】
舌片１６の長さ（法線Ｌｎ上での長さ）の下限としては、１０ｍｍが好ましく、１５ｍｍがより好ましい。一方、舌片１６の長さの上限としては、８ｃｍが好ましく、５ｃｍがより好ましい。舌片１６の長さが上記下限に満たない場合、舌片１６の側縁と物品Ｐの側面との間の摩擦が小さくなることで物品Ｐの回転を抑制する効果が不十分となるおそれがある。逆に、舌片１６の長さが上記上限を超える場合、先端縁１８が折曲容易線１５から遠くなることで、物品Ｐに対する圧接力が小さくなり、物品Ｐの回転を抑制する効果が不十分となるおそれがある。
【００３９】
＜側面パネル＞
側面パネル１２，１３は、組み立て状態で上面パネル１１を箱体Ｂの底面とから浮かせて支持し、上面パネル１１の下側に空間を形成する。側面パネル１２，１３は、シート材の反力によって、箱用シート２を組み立ててなる箱体の側壁内面に密接することで、上面パネル１１に対して直角に折り曲げられた状態を保持する。
【００４０】
側面パネル１２，１３の延出長さ、つまり支持体用シート１を組み立ててなる支持体Ｓの高さは、物品Ｐを保持する位置を適正化できるよう選択される。
【００４１】
〔箱用シート〕
箱用シート２は、物品Ｐを収容できる箱体Ｂに組み立てることができ、この箱体Ｂの内側底部に支持体用シート１を組み立ててなる支持体Ｓを収容可能に構成される。
【００４２】
本実施形態の箱用シート２は、横方向に連設され、組み立て状態で箱体Ｂの４つの側壁を構成する４つの側壁パネル（一対の長辺側壁パネル２１及び一対の短辺側壁パネル２２）と、長辺側壁パネル２１の下縁から延出する一対の底外フラップ２３と短辺側壁パネル２２の下縁から延出する一対の底内フラップ２４と、長辺側壁パネル２１の上縁から延出する一対の蓋外フラップ２５と短辺側壁パネル２２の上縁から延出する一対の蓋内フラップ２６と、４つの側面パネルを筒状に接続する継ぎしろ２７とを備える。
【００４３】
この箱用シート２は、ＪＩＳ−Ｚ１５０７（２０１３）にコード番号２０１として規定され、一般にＡ式と呼ばれるものである。箱用シート２は、通常、継ぎしろ２７によって４つの側壁パネル２１，２２を筒状に接続し、平坦に折り畳んだ状態でユーザーに提供される。
【００４４】
＜利点＞
当該包装資材セットの支持体用シート１は、舌片１６の基端縁となる折曲容易線１５が、その法線Ｌｎがその中心点Ｃと保持穴Ｈの重心Ｇとを結ぶ直線Ｌｒに対して傾斜していることによって、保持穴Ｈに物品Ｐを挿入したとき、舌片１６が周方向一方側の側縁を物品Ｐの側面に押し当てるように傾斜する。この傾斜した舌片１６は、物品Ｐが側縁を押し当てている方向に回転することは許容するが、その反対側に回転することを抑制する。支持体用シート１は、傾斜方向が互いに異なる２つの折曲容易線１５を有するので、物品Ｐの両方向の回転をいずれかの舌片１６によって防止することができる。
【００４５】
［第二実施形態］
図４に、本発明の図３とは異なる実施形態に係る支持体用シート１ａを示す。この支持体用シート１ａは、図３の支持体用シート１に替えて使用することができる。
【００４６】
支持体用シート１ａは、１枚のシート材から形成される。図４の支持体用シート１ａを形成するシート材としては、図３の支持体用シート１を形成するシート材と同様のものを用いることができる。
【００４７】
支持体用シート１ａは、方形状の上面パネル１１ａと、上面パネル１１の各側縁から等しい長さに延出する方形状の４つの側面パネル（一対の長辺側面パネル１２及び一対の短辺側面パネル１３）とを備える。図４の支持体用シート１ａにおける側面パネル１２，１３は、図３の支持体用シート１における側面パネル１２，１３と同様の構成とすることができる。
【００４８】
＜上面パネル＞
上面パネル１１ａは、物品が挿入される平面視円形状の保持穴を形成する保持穴形成部１４ａを有する。
【００４９】
（保持穴形成部）
本実施形態の保持穴形成部１４ａは、周方向に間隔を空けて形成される複数（６つ）の舌片１６ａを有する。より詳しくは、保持穴形成部１４ａは、保持穴の内縁の少なくとも一部を形成する直線状の複数の折曲容易線１５ａと、この折曲容易線１５ａからそれぞれ延出し、保持穴に物品を挿入するときに下方に折り曲げられる複数の舌片１６ａと、隣接する折曲容易線１５間を接続する接続線１９とを有する。
【００５０】
各折曲容易線１５ａは、その法線がその中心点と保持穴の重心とを結ぶ直線に対して傾斜している。また、各折曲容易線１５ａの法線の傾斜方向は、隣接する折曲容易線１５ａの法線の傾斜方向と異なっている。
【００５１】
複数の接続線１９は、シート材を切断したエッジから形成され、概略保持穴の重心を中心とする単一の仮想円上に延び、一方の端部が折曲容易線１５ａの傾斜分だけ屈曲している。
【００５２】
図４の支持体用シート１ａを組み立ててなる支持体も、図３の支持体用シート１を組み立ててなる支持体Ｓと同様に、保持穴に挿入された物品を保持し、その回転を防止することができる。
【００５３】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００５４】
本発明に係る支持体用シートの舌片の側縁は、保持穴の重心を通る直線と交差する切断線により形成されてもよく、保持穴に挿入される物品の側面形状に合わせて湾曲していてもよい。
【００５５】
本発明に係る支持体用シートは、４つの側壁パネルとは異なる構成により、上面パネルを箱体の底面から浮かせて支持するものであってもよい。例として、本発明に係る支持体用シートは、箱体に設けられる支持構造に保持される上面パネルのみからなるものであってもよい。
【００５６】
当該包装資材セットにおける箱用シートの形態は任意であり、例えばＪＩＳ−Ｚ１５０７（２０１３）に規定される他の形態のものであってもよく、複数のシートを組み合わせて１つの箱体を形成するものであってもよい。
【産業上の利用可能性】
【００５７】
本発明に係る支持体用シート及び包装資材セットは、鉢植えを包装するために特に好適に利用することができる。
【符号の説明】
【００５８】
１，１ａ  支持体用シート
２  箱用シート
１１，１１ａ  上面パネル
１２  長辺側面パネル
１３  短辺側面パネル
１４，１４ａ  保持穴形成部
１５，１５ａ  折曲容易線
１６，１６ａ  舌片
１７  切断線
１８  先端縁
１９  接続線
２１  長辺側壁パネル
２２  短辺側壁パネル
２３  底外フラップ
２４  底内フラップ
２５  蓋外フラップ
２６  蓋内フラップ
２７  継ぎしろ
Ｂ  箱体
Ｃ  中心点
Ｇ  重心
Ｈ  保持穴
Ｌｒ  直線
Ｌｎ  法線
Ｐ  物品
Ｓ  支持体
【図１】
2019104506.tif 000003
【図２】
2019104506.tif 000004
【図３】
2019104506.tif 000005
【図４】
2019104506.tif 000006
【手続補正書】
【提出日】平成30年3月16日(2018.3.16)
【手続補正１】
【補正対象書類名】特許請求の範囲
【補正対象項目名】請求項１
【補正方法】変更
【補正の内容】
【請求項１】
１枚のシート材から形成され、箱体の中に配置されて円筒状又は円錐状の側面を有する物品を保持するための支持体に組み立てられる支持体用シートであって、
物品が挿入される保持穴を形成する保持穴形成部を有する上面パネルを備え、
上記保持穴の平面形状が、外接円の半径と内接円の半径との差が外接円の半径の１０％以下の円形状であり、
上記保持穴形成部が、
上記保持穴の内縁の少なくとも一部を形成する直線状の複数の折曲容易線と、
上記折曲容易線からそれぞれ延出し、上記保持穴に物品を挿入するときに下方に折り曲げられて、物品の円筒状又は円錐状の側面に押し当てられる複数の舌片と
を有し、
上記複数の折曲容易線が、上記舌片と上記物品との摩擦力を水平方向に非対称として一方向の物品の水平回転を抑制するようその法線がその中心点と上記保持穴の重心とを結ぶ直線に対して傾斜し、且つ上記法線の傾斜方向が互いに異なる２つの折曲容易線を含むことにより、上記物品の両方向の回転を抑制することを特徴とする支持体用シート。